(57)【要約】【課題】撮影者の利便性を損なわせることなく、装着する撮影レンズの種類によらずに、超至近から遠景までピントの合った写真を得ることができるカメラを提供することができるカメラを提供すること。【解決手段】カメラの電源がオンされた後、ボディＣＰＵ２２７は交換レンズ１００のレンズＣＰＵ１０５と通信し、レンズ情報を読み込む（ステップＳ４）。読み込んだレンズ情報に従って交換レンズ１００が通常の交換レンズであるか否かを判定し（ステップＳ６）、通常の交換レンズではなく、特殊交換レンズが装着されていた場合には、フォーカス方式をイメージャＡＦ方式に設定する（ステップＳ９）。【選択図】図４
2010066495.tif 000002
【特許請求の範囲】
【請求項１】
撮影レンズが交換可能なカメラにおいて、
上記撮影レンズを介して被写体を撮像し、上記被写体の像に基づく画像を取得する撮像手段と、
上記撮影レンズが第１のタイプのレンズと上記第１のタイプに対して上記被写体の像の向きが反転する第２のタイプのレンズとの何れであるかを判別する判別手段と、
上記判別手段により、上記撮影レンズが上記第１のタイプのレンズであると判別された場合に上記撮影レンズのフォーカスを第１のフォーカス方式と第２のフォーカス方式の何れかによって調整し、上記撮影レンズが上記第２のタイプのレンズであると判別された場合に上記撮影レンズのフォーカスを上記第２のフォーカス方式によって調整するように制御する制御手段と、
を具備することを特徴とするカメラ。
【請求項２】
上記制御手段は、上記撮影レンズが上記第２のタイプのレンズに交換された時点で自動的に上記第２のフォーカス方式を選択することを特徴とする請求項１に記載のカメラ。
【請求項３】
上記第１のフォーカス方式は位相差ＡＦ方式であり、上記第２のフォーカス方式はイメージャＡＦ方式であることを特徴とする請求項１又は２に記載のカメラ。
【請求項４】
上記第２のタイプのレンズは、上記第１のタイプのレンズに比べて小口径且つ広角のレンズを含むことを特徴とする請求項１乃至３の何れか１項に記載のカメラ。
【請求項５】
上記判別手段は、上記撮影レンズの種類を示す情報を、上記撮影レンズとの通信によって取得し、該取得した撮影レンズの種類を示す情報に基づいて上記判別を行うことを特徴とする請求項１乃至４の何れか１項に記載のカメラ。
【発明の詳細な説明】
【技術分野】
【０００１】
本発明は、撮影レンズを交換可能なカメラに関する。
【背景技術】
【０００２】
一般に、通常の撮影レンズでは焦点深度がそれほど深くはないため、超至近から遠景までフォーカスの合った写真を撮影することが困難であるとされている。このような超至近から遠景までフォーカスの合った写真を撮影するために、小径広角の光学系と、リレー光学系とを用いて焦点深度を深くした撮影レンズが用いられることがある。しかしながら、このような構成の撮影レンズを用いた場合には、被写体像を通常の光学ファインダ等を介して観察すると観察像が反転してしまうことが知られている。このような観察像の反転を防止する手法としては、さらにリレー光学系を追加することが考えられる。しかしながら、この場合には、リレー光学系を追加するために撮影レンズとしての大型化は避けられない。
【０００３】
リレー光学系の追加なしで観察像の反転を防止する手法として特許文献１の手法が提案されている。この特許文献１の手法では、通常のビデオカメラ用の光学レンズが画像撮影装置に装着された場合には画像の反転がないとして、撮像素子（ＣＣＤ）を介して得られる画像の上下左右を反転せずに画像処理部に入力し、フィルム用の光学レンズが画像撮影装置に装着された場合には画像の反転があるとして、撮像素子（ＣＣＤ）を介して得られる画像の上下左右を反転してから画像処理部に入力するようにしている。
【特許文献１】特開２０００−１８４２９６号公報
【発明の開示】
【発明が解決しようとする課題】
【０００４】
ここで、小径広角のレンズによって撮像素子上に結像される光束の幅は、通常の光学系によって結像される光束の幅よりも狭くなる。この場合、適切な方式で撮影レンズのフォーカス調整を行わないと、場合によってはフォーカス調整が不能となる場合があり得る。
【０００５】
本発明は、上記の事情に鑑みてなされたもので、撮影者の利便性を損なわせることなく、装着する撮影レンズの種類によらずに、超至近から遠景までピントの合った写真を得ることができるカメラを提供することを目的とする。
【課題を解決するための手段】
【０００６】
上記の目的を達成するために、本発明の第１の態様のカメラは、撮影レンズが交換可能なカメラにおいて、上記撮影レンズを介して被写体を撮像し、上記被写体の像に基づく画像を取得する撮像手段と、上記撮影レンズが第１のタイプのレンズと上記第１のタイプに対して上記被写体の像の向きが反転する第２のタイプのレンズとの何れであるかを判別する判別手段と、上記判別手段により、上記撮影レンズが上記第１のタイプのレンズであると判別された場合に上記撮影レンズのフォーカスを第１のフォーカス方式と第２のフォーカス方式の何れかによって調整し、上記撮影レンズが上記第２のタイプのレンズであると判別された場合に上記撮影レンズのフォーカスを上記第２のフォーカス方式によって調整するように制御する制御手段とを具備することを特徴とする。
【発明の効果】
【０００７】
本発明によれば、撮影者の利便性を損なわせることなく、装着する撮影レンズの種類によらずに、超至近から遠景までピントの合った写真を得ることができるカメラを提供することができるカメラを提供することができる。
【発明を実施するための最良の形態】
【０００８】
以下、図面を参照して本発明の実施形態を説明する。  
図１は、本発明の一実施形態に係るカメラの構成を示した図である。本実施形態におけるカメラは、交換レンズ１００とカメラボディ２００とを有する撮影レンズが交換可能なカメラを想定している。
【０００９】
交換レンズ１００は、撮影レンズ１０１と、光学系駆動機構１０２と、絞り機構１０３と、絞り駆動機構１０４と、レンズＣＰＵ１０５とを有している。なお、詳細は後述するが、本実施形態においては撮影の用途等に応じて種々の交換レンズ１００を用いることが可能である。
【００１０】
撮影レンズ１０１は、図示しない被写体の光束を集光してカメラボディ２００内の撮像素子２１４上に被写体像を結像させるための光学系である。光学系駆動機構１０２は、撮影レンズ１０１に含まれるレンズをその光軸方向（図示矢印Ａ方向）に駆動する。撮影レンズ１０１内のレンズを駆動することで撮影レンズ１０１のフォーカスやズーム状態等が調整される。
【００１１】
絞り機構１０３は、撮影レンズ１０１を介して撮像素子２１４に入射する光束の光量を調整する。絞り駆動機構１０４は、絞り機構１０３の開閉駆動を行う。
【００１２】
レンズＣＰＵ１０５は、交換レンズ１００がカメラボディ２００に装着された際に、通信端子１０６を介してカメラボディ２００内のシーケンスコントローラ（ボディＣＰＵ）２２７と通信可能に構成されている。このレンズＣＰＵ１０５は、ボディＣＰＵ２２７の制御に従って光学系駆動機構１０２の制御及び絞り駆動機構１０４の制御等を行う。また、レンズＣＰＵ１０５は、交換レンズ１００の種類や撮影レンズ１０１の焦点距離情報等のレンズ情報を保持しており、交換レンズ１００がカメラボディ２００に装着された際に、通信端子１０６を介してボディＣＰＵ２２７にレンズ情報を送信することも行う。
【００１３】
カメラボディ２００は、可動ミラー２０１と、可動ミラー駆動機構２０２と、フォーカシングスクリーン２０３と、ペンタプリズム２０４と、測光センサ２０５と、測光処理回路２０６と、測距センサ２０７と、測距処理回路２０８と、フォーカルプレーンシャッタ２０９と、シャッタ駆動機構２１０と、防塵フィルタ２１１と、防塵フィルタ駆動回路２１２と、各種フィルタ２１３と、撮像素子２１４と、撮像素子駆動回路２１５と、前処理回路２１６と、データバス２１７と、ＳＤＲＡＭ制御回路２１８と、ＳＤＲＡＭ２１９と、画像処理回路２２０と、ビデオ信号出力回路２２１と、液晶モニタ駆動回路２２２と、背面液晶モニタ２２３と、圧縮伸長回路２２４と、記録媒体制御回路２２５と、記録媒体２２６と、シーケンスコントローラ（ボディＣＰＵ）２２７と、フラッシュメモリ制御回路２２８と、フラッシュメモリ２２９と、各種スイッチ２３０と、着脱検知スイッチ２３１と、スイッチ検知回路２３２と、入出力回路２３３と、通信回路２３４とを有している。
【００１４】
可動ミラー２０１は、中央部がハーフミラーで構成されており、撮影レンズ１０１の光軸上の位置と該光軸上の位置から退避する位置との間で進退自在に構成されている。この可動ミラー２０１は、交換レンズ１００を介してカメラボディ２００に入射した光束の一部を透過し、一部を反射する。また、可動ミラー２０１のハーフミラー部の背面にはサブミラー２０１ａが設けられている。サブミラー２０１ａは、可動ミラー２０１を透過した光束を反射させる。可動ミラー駆動機構２０２は、可動ミラー２０１の駆動を行う。
【００１５】
フォーカシングスクリーン２０３は、可動ミラー２０１による光束の反射方向に配置されており、可動ミラー２０１において反射された光束が結像する。ペンタプリズム２０４は、フォーカシングスクリーン２０３に結像した被写体の像を正立像とする。このペンタプリズム２０４の光出射方向には接眼光学系２０４ａが配置されている。ユーザはフォーカシングスクリーン２０３に結像され、ペンタプリズム２０４で反転された被写体像を、接眼光学系２０４ａを介して観察することが可能である。
【００１６】
測光センサ２０５は、ペンタプリズム２０４の近傍に配置され、ペンタプリズム２０４から出射される光束の一部を受光してその受光量に応じた信号を出力する。測光処理回路２０６は、測光センサ２０５の出力から被写体輝度を算出し、算出した被写体輝度を、入出力回路２３３を介してボディＣＰＵ２２７に出力する。
【００１７】
測距センサ２０７は、サブミラー２０１ａによる光束の反射方向に配置された位相差ＡＦ方式用の測距センサである。この測距センサ２０７は、サブミラー２０１ａで反射された光束を瞳分割する瞳分割光学系、該瞳分割光学系によって分割された光束のそれぞれを電気信号として取り出すための対をなすラインセンサ等から構成されている。測距処理回路２０８は、測距センサ２０７の出力から撮影レンズ１０１のフォーカスずれ量を算出し、算出したフォーカスずれ量を、入出力回路２３３を介してボディＣＰＵ２２７に出力する。
【００１８】
フォーカルプレーンシャッタ２０９は、撮像素子２１４の前方に配置され、撮像素子２１４の光電変換面を遮光する。シャッタ駆動機構２１０は、フォーカルプレーンシャッタ２０９の開閉を行う。撮影時においては、交換レンズ１００内の絞り機構１０３の開放量とフォーカルプレーンシャッタ２０９の開放時間とを制御することによって撮像素子２１４の露光量を制御することが可能である。
【００１９】
防塵フィルタ２１１は、各種フィルタ２１３、撮像素子２１４の前方に配置され、各種フィルタ２１３及び撮像素子２１４への塵埃の付着を防止する。防塵フィルタ駆動回路２１２は、防塵フィルタ２１１を振動させることで防塵フィルタ２１１に付着した塵埃を払い落とす。
【００２０】
各種フィルタ２１３は、撮影レンズ１０１を介して撮像素子２１４に入射する光束の赤外光成分を除去する赤外カットフィルタや高周波ノイズ成分を除去するローパスフィルタ等の各種の光学フィルタである。
【００２１】
撮像素子２１４は、撮影レンズ１０１を介して結像された被写体像を光電変換によって電気信号（画像信号）に変換する。撮像素子駆動回路２１５は、入出力回路２３３を介したボディＣＰＵ２２７からの指示に従って撮像素子２１４を駆動制御するとともに、撮像素子２１４で得られる画像信号の読み出しを制御する。
【００２２】
前処理回路２１６は、撮像素子駆動回路２１５を介して撮像素子２１４から読み出される画像信号に対してノイズ除去や増幅等のアナログ処理を施し、さらにアナログ処理した画像信号をデジタル信号（画像データ）に変換する処理を行う。
【００２３】
データバス２１７は、前処理回路２１６において得られた画像データや画像処理回路２２０で処理される画像データ等の種々のデータを転送するための転送路である。
【００２４】
ＳＤＲＡＭ制御回路２１８は、ＳＤＲＡＭ２１９へのデータの書き込み及び読み出しを制御する。ＳＤＲＡＭ２１９は、前処理回路２１６において得られたデータ等を一時格納しておくためのバッファメモリである。
【００２５】
画像処理回路２２０は、前処理回路２１６において得られ、ＳＤＲＡＭ２１９に格納されている画像データを読み出して各種の画像処理を施す。この画像処理は、画像の色バランスを補正するホワイトバランス補正処理、画像の色を補正する色補正処理、画像の階調を補正する階調補正処理等が含まれる。さらに、本実施形態において、画像処理回路２２０は、交換レンズ１００が特殊交換レンズである場合に画像データの上下左右を反転する処理も実行する。特殊交換レンズについては後述する。また、画像処理回路２２０は、後述するイメージャＡＦ方式の際に、画像データにおけるコントラストを演算する処理も行う。
【００２６】
ビデオ信号出力回路２２１は、ＳＤＲＡＭ２１９から画像処理後の画像データを読み出し、読み出した画像データをビデオ信号に変換して液晶モニタ駆動回路２２２に出力する。液晶モニタ駆動回路２２２は、ビデオ信号出力回路２２１から入力されたビデオ信号に従って背面液晶モニタ２２３を駆動して、背面液晶モニタ２２３の画面上に画像表示を行う。背面液晶モニタ２２３は、カメラボディ２００の背面に配置されており、撮影によって得られた画像等の各種の画像を表示する。以下、背面液晶モニタ２２３を用いたファインダ用の画像表示をライブビュー動作と記す。
【００２７】
圧縮伸長回路２２４は、ＳＤＲＡＭ２１９から画像処理後の画像データを読み出し、読み出した画像データをＪＰＥＧ方式等の所定の圧縮形式で圧縮する。また、圧縮伸長回路２２４は、画像の再生時には、ＳＤＲＡＭ２１９から圧縮済みの画像データを読み出し、読み出した画像データを伸長することも行う。
【００２８】
記録媒体制御回路２２５は、記録媒体２２６へのデータの書き込み及び読み出しを制御する。記録媒体２２６は、例えばカメラボディ２００に対して着脱自在に構成されたメモリカードであり、圧縮伸長回路２２４において圧縮された画像データを記録する。
【００２９】
制御手段としての機能を有するボディＣＰＵ２２７は、フラッシュメモリ２２９に記憶されている制御プログラムに従って、可動ミラー駆動機構２０２、シャッタ駆動機構２１０、防塵フィルタ駆動回路２１２の制御等、カメラボディ２００内の各部の制御を行う。また、ボディＣＰＵ２２７は、交換レンズ１００のレンズＣＰＵ１０５と通信してレンズ情報を取得し、このレンズ情報に従って交換レンズ１００が特殊交換レンズであるか否かを判別する判別手段としての機能も有している。
【００３０】
フラッシュメモリ制御回路２２８は、フラッシュメモリ２２９へのデータの書き込み及び読み出しを制御する。フラッシュメモリ２２９は、ボディＣＰＵ２２７によって読み出される制御プログラムやカメラボディ２００の各種の設定値等を記憶する。
【００３１】
各種スイッチ２３０は、カメラボディ２００を操作するための各種の操作部材に応答して状態が切り替わるスイッチである。この各種の操作部材としては、カメラボディ２００の電源をオン又はオフさせるためのパワースイッチ、カメラに撮影実行の指示を与えるためのレリーズボタン、画像再生の指示を与えるための再生ボタン、メニュー画面表示の指示を与えるためのメニューボタン、カメラの各種設定を行うための入力キー等が挙げられる。着脱検知スイッチ２３１は、交換レンズ１００がカメラボディ２００に装着されたことを検知するためのスイッチである。スイッチ検知回路２３２は、各種スイッチ２３０及び着脱検知スイッチ２３１の操作状態を検知し、検知結果をボディＣＰＵ２２７に通知する回路である。スイッチ検知回路２３２を介して操作部材の操作が検知された場合に、ボディＣＰＵ２２７は、操作部材の操作内容に応じた制御を実行する。
【００３２】
入出力回路２３３は、ボディＣＰＵ２２７からの指示を受けて、可動ミラー駆動機構２０２、シャッタ駆動機構２１０、防塵フィルタ駆動回路２１２、撮像素子駆動回路２１５の制御を行うための信号を出力するとともに、測光処理回路２０６、測距処理回路２０８の処理結果をボディＣＰＵ２２７に入力するためのインターフェース回路である。
【００３３】
通信回路２３４は、交換レンズ１００のレンズＣＰＵ１０５とカメラボディ２００のボディＣＰＵ２２７との通信を行うためのインターフェース回路である。
【００３４】
以下、図１に示すカメラの動作について説明する。上述したように、本実施形態では撮影の用途等に応じて種々の交換レンズ１００を用いることが可能である。この場合、交換レンズ１００の種類によっては撮像素子２１４に結像される被写体像の向き（上下左右）が異なることがある。
【００３５】
まず、第１のタイプとして、リレー光学系を含まない撮影レンズを有する交換レンズ（以下、通常の交換レンズと記す）を用いた場合には、可動ミラー２０１が撮影レンズ１０１の光軸上の位置にあれば被写体像がフォーカシングスクリーン２０３に結像し、可動ミラー２０１が撮影レンズ１０１の光軸から退避した位置にあれば被写体像が撮像素子２１４に結像する。このとき、フォーカシングスクリーン２０３に結像した被写体像はペンタプリズム２０４を介して正立像となる。したがって、ユーザは接眼光学系２０４ａを介して正しい向きで被写体の観察を行うことが可能である。また、撮像素子２１４に結像した被写体像については、画像処理回路２２０内で画像データの上下反転処理を行ったり、撮像素子２１４からの画像信号の読み出し順やＳＤＲＡＭ２１９への画像データの書き込み順等を制御したりする。このようにして、ライブビュー動作時に背面液晶モニタ２２３に表示される観察像を正しい向きとする。
【００３６】
次に、第２のタイプのレンズを用いた場合について説明する。図２は、第２のタイプのレンズの一例として、小径広角レンズ１０１ａとリレー光学系１０１ｂとを有する撮影レンズ１０１を備える交換レンズ（以下、特殊交換レンズと記す）を用いた例を示している。小径広角レンズ１０１ａは、焦点距離が短く、口径が小さいため、通常の撮影レンズに比べて焦点深度を深くすることができる。したがって、特殊交換レンズを用いることで、通常の交換レンズでは撮影できないような超至近から遠景までフォーカスが合うような画像を撮影できる。ここで、図２に示す特殊交換レンズを用いた場合、小径広角レンズ１０１ａを通過した光束がフォーカシングスクリーン２０３又は撮像素子２１４に結像する前に所定の位置で１次結像した後、リレー光学系１０１ｂによってフォーカシングスクリーン２０３又は撮像素子２１４に導かれる。したがって、接眼光学系２０４ａを介して観察される被写体像の向きは、図３（ａ）に示すように、もとの向きに対して上下左右が反転する。一方、ライブビュー動作のために、撮像素子２１４に結像した被写体像に基づく観察像を背面液晶モニタ２２３に表示させる際には、画像の再反転を行うことで図３（ｂ）に示すように、正しい向きの観察像を表示させることが可能である。
【００３７】
なお、特殊交換レンズを用いた場合には、フォーカシングスクリーン２０３や撮像素子２１４に結像される被写体像の向きが反転する他に、各種の特徴が存在する。本実施形態においては、特殊交換レンズを装着した場合の各種の特徴に応じた最適な制御を行う。以下、この制御の詳細について説明する。
【００３８】
図４は、本実施形態におけるカメラの動作について示すフローチャートである。カメラボディ２００に図示しない電池が装填されたときに図４の処理が開始される。ボディＣＰＵ２２７は、まず、スイッチ検知回路２３２の出力から、ユーザの操作によってパワースイッチがオンされたか否かを判定する（ステップＳ１）。ステップＳ１の判定において、パワースイッチがオンされていない場合には本カメラの状態がスリープ状態となる。また、ステップＳ１の判定において、パワースイッチがオンである場合、若しくはスリープ状態においてパワースイッチがオンされた場合に、ボディＣＰＵ２２７はカメラボディ２００の各部及び交換レンズ１００の各部への電源供給を開始する（ステップＳ２）。
【００３９】
次に、ボディＣＰＵ２２７は、防塵フィルタ駆動回路２１２を介して防塵フィルタ２１１を駆動して防塵フィルタ２１１に付着している塵埃の除去を行う（ステップＳ３）。その後、ボディＣＰＵ２２７は、レンズＣＰＵ１０５と通信を行い、レンズＣＰＵ１０５からレンズ情報を読み込む（ステップＳ４）。レンズ情報の読み込み後、レンズＣＰＵ１０５は、レンズ情報の交換レンズ１００の種類を示す情報から、交換レンズ１００の種類を判別し、この判別結果に従って各種の動作モード及びパラメータの設定を行う（ステップＳ５）。
【００４０】
図５は、本実施形態における交換レンズの種類と動作モードとの関係を示す図である。図５に示すように、本実施形態においては交換レンズの種類に応じて、フォーカス方式の設定、露出モードの設定、画像処理設定（画像の反転を行うか否かの設定）、ライブビュー動作の設定、情報表示設定、ＩＳＯ感度設定を行う。
【００４１】
図５に示すように、通常の交換レンズの場合のフォーカス方式は位相差ＡＦ方式、イメージャＡＦ方式の中からユーザが設定できる。ここで、位相差ＡＦ方式は、測距センサ２０７を構成するラインセンサに結像した被写体像のずれ量（位相差）から、撮影レンズ１０１のフォーカスずれ量を算出し、算出したフォーカスずれ量が無くなるように撮影レンズ１０１を駆動することで撮影レンズ１０１のフォーカスを調整するフォーカス方式である。なお、位相差ＡＦ方式の際には、可動ミラー２０１を撮影レンズ１０１の光軸上の位置に移動させることによって、撮影レンズ１０１を介して入射した光束が測距センサ２０７に入射されるようにする。また、イメージャＡＦ方式は、撮影レンズ１０１の駆動を行いつつ、撮像素子２１４を介して取得される画像データにおけるコントラストを画像処理回路２２０において演算し、この演算されたコントラストが最も高くなるレンズの位置を探索するフォーカス方式である。なお、イメージャＡＦ方式の際には、可動ミラー２０１を撮影レンズ１０１の光軸上から退避させることによって、撮影レンズ１０１を介して入射した光束が撮像素子２１４に入射されるようにする。
【００４２】
また、特殊交換レンズの場合のフォーカス方式はイメージャＡＦ方式に固定する。即ち、特殊交換レンズでは、通常の交換レンズに比べて小口径のレンズ１０１ａを用いているため、カメラボディ２００に入射する光束の幅が通常の交換レンズに比べて狭くなる。位相差ＡＦ方式は測距センサ２０７に入射する光束の幅がある程度以上なければ、高精度の位相差検出を行うことができず、フォーカス調整の精度が低下する。したがって、特殊交換レンズの場合のフォーカス方式はイメージャＡＦ方式に固定する。
【００４３】
また、図５に示すように、通常の交換レンズの場合の露出モードは、プログラムモード、絞り優先モード、シャッタ速度優先モード、マニュアルモードの中からユーザが設定できる。ここで、プログラムモードは、撮影時における撮像素子２１４の露出が適正露出となるように、ボディＣＰＵ２２７が所定のプログラムに従って絞り値とシャッタ速度とを演算するモードである。絞り優先モードは、絞り値を固定としつつ、撮影時における撮像素子２１４の露出が適正露出となるようなシャッタ速度をボディＣＰＵ２２７が演算するモードである。シャッタ速度優先モードは、シャッタ速度を固定としつつ、撮影時における撮像素子２１４の露出が適正露出となるような絞り値をボディＣＰＵ２２７が演算するモードである。マニュアルモードは、ユーザが絞り値とシャッタ速度を手動設定可能なモードである。
【００４４】
特殊交換レンズの場合の露出モードは、絞り優先モード、マニュアルモードのみの中からユーザが設定できる。上述したように、特殊交換レンズは小径広角レンズ１０１ａを用いている。小径広角レンズ１０１ａは通常の交換レンズに用いられるレンズに比べて小口径であるため、絞り機構の調整自由度が通常の交換レンズの絞り機構に比べて少ない。このため、特殊交換レンズの場合の露出モードを、絞り優先モード、マニュアルモードのみに固定するようにする。絞り優先モードを用いれば、絞り機構の調整自由度が少なくともシャッタ速度を調整することで適正露出を得ることが可能である。
【００４５】
また、図５に示すように、通常の交換レンズの場合の画像処理設定は標準画像処理モードとする。即ち、画像処理回路２２０において、画像データの反転を行わない正転とする。一方、特殊交換レンズの場合の画像処理設定は反転画像処理モードとする。即ち、画像処理回路２２０において、画像データの反転を行うようにする。
【００４６】
また、図５に示すように、通常の交換レンズの場合のライブビュー動作設定は、通常モード、ブーストモードの中からユーザが設定できる。ここで、通常モードは、環境光の明るさに応じて撮像素子２１４の感度（前処理回路２１６における画像信号の増幅率）を増減してライブビュー動作を行うモードである。一般に、撮像素子２１４の感度を増加させるとノイズも増幅される。このため、通常モードにおいては、画像に対するノイズ量が所定以上となった場合にはライブビュー動作を停止させる。これに対し、ブーストモードは、画像が暗い場合の表示に適したモードである。このブーストモードにおいては、ノイズ量が上記の所定以上となった場合においてもライブビュー動作を継続する。さらに、画像が暗くなって色ノイズが増加し、適正な色での表示が行えなくなった場合には白黒表示でライブビュー動作を継続する。
【００４７】
また、特殊交換レンズの場合のライブビューモードは、ブーストモードのみとする。小径広角レンズ１０１ａは通常の交換レンズに用いられるレンズに比べて小口径であり、通常の交換レンズの場合に比べて暗い画像が撮影されやすい。このため、ブーストモードのみの設定とする。
【００４８】
また、図５に示すように、通常の交換レンズの場合の情報表示設定は通常とする。この場合にはライブビュー動作を行っている背面液晶モニタ２２３に特殊交換レンズが装着されていることを警告する表示を行わない。一方、特殊交換レンズの場合の情報表示設定は警告表示とする。この場合にはライブビュー動作を行っている背面液晶モニタ２２３に特殊交換レンズが装着されていることを警告する表示を行う。
【００４９】
また、図５に示すように、通常の交換レンズの場合のＩＳＯ感度設定はＡＵＴＯとする。ＡＵＴＯの場合には、被写体の明るさ等の条件に従ってライブビュー動作時や撮影時等のＩＳＯ感度（撮像素子２１４の感度に対応する）をボディＣＰＵ２２７が設定する。一方、特殊交換レンズの場合のＩＳＯ感度設定はＩＳＯ８００に固定する。この場合には、被写体の明るさ等の条件によらず撮影時等のＩＳＯ感度をＩＳＯ８００に固定する。これにより、ライブビュー表示時に表示される画像等を明るくする。なお、図５ではＩＳＯ８００に固定しているが、ＩＳＯ８００よりも大きなＩＳＯ感度を用いるようにしても良い。
【００５０】
ここで図４に戻って説明を続ける。ステップＳ５において、各種の動作モードの設定をした後、ボディＣＰＵ２２７は、レンズ情報の交換レンズ１００の種類を示す情報から、現在装着されている交換レンズ１００が通常の交換レンズであるか否かを判定する（ステップＳ６）。ステップＳ６の判定において、現在装着されている交換レンズが通常のレンズでない、即ち特殊交換レンズである場合に、ボディＣＰＵ２２７は、ライブビュー動作時の観察像が正立像となるように画像処理回路２２０において画像データの反転（再反転）処理を実行させる。さらに、ブーストモードによるライブビュー動作を行うための各種設定を行う（ステップＳ７）。次に、ボディＣＰＵ２２７は、ユーザの操作により、フォーカス方式が位相差ＡＦ方式に設定されているか否かを判定する（ステップＳ８）。ステップＳ８の判定において、フォーカス方式が位相差ＡＦ方式に設定されていた場合に、ボディＣＰＵ２２７は、フォーカス方式をイメージャＡＦ方式に切り替える（ステップＳ９）。即ち、特殊交換レンズが装着された場合には、もとのフォーカス方式が位相差ＡＦ方式であってもフォーカス方式をイメージャ方式に切り替える。これにより、特殊交換レンズが装着されてもフォーカス調整の精度が低下することがない。一方、ステップＳ８の判定において、フォーカス方式が位相差ＡＦ方式に設定されていない、即ちイメージャＡＦ方式である場合に、ボディＣＰＵ２２７は、ステップＳ９の処理をスキップする。
【００５１】
ステップＳ６、Ｓ８、又はＳ９の後、ボディＣＰＵ２２７は、液晶モニタ駆動回路２２２に対してライブビュー動作開始の指示を行う（ステップＳ１０）。これにより、背面液晶モニタ２２３において観察像の表示が行われる。ライブビュー動作を開始させた後、ボディＣＰＵ２２７は、撮像素子２１４を介して得られる画像データの明るさを評価することにより、撮影時における露光量（絞り値、シャッタ速度）を演算する（ステップＳ１１）。なお、露出モードがマニュアルモードの場合には、ユーザによって設定された絞り値、シャッタ速度を用いる。
【００５２】
その後、ボディＣＰＵ２２７は、ユーザの再生ボタンの操作によって再生スイッチがオンしたか否かを判定する（ステップＳ１２）。ステップＳ１２の判定において、再生スイッチがオンした場合に、ボディＣＰＵ２２７は、画像データの再生動作を制御する（ステップＳ１３）。画像データの再生動作においては、例えば、液晶モニタ駆動回路２２２を制御して背面液晶モニタ２２３に記録媒体２２６に記録されている画像データの一覧を表示させる。この一覧表示において、ユーザが所望の画像を選択すると、その選択された画像データが再生され、背面液晶モニタ２２３に画像表示がなされる。このような画像データの再生動作の後は次のステップに移行する。また、ステップＳ１２の判定において、再生スイッチがオンしていない場合に、ボディＣＰＵ２２７は、ステップＳ１３の処理をスキップする。
【００５３】
ステップＳ１２又はＳ１３の後、ボディＣＰＵ２２７は、ユーザのメニューボタンの操作によってメニュースイッチがオンしたか否かを判定する（ステップＳ１４）。ステップＳ１４の判定において、メニュースイッチがオンした場合に、ボディＣＰＵ２２７は、メニュー設定動作を制御する（ステップＳ１５）。メニュー設定動作においては、例えば、液晶モニタ駆動回路２２２を制御して背面液晶モニタ２２３にメニュー画面を表示させる。このメニュー画面において、ユーザが所望の項目を選択すると、その項目に対応したカメラの設定を行うことができる。これにより、図５に示した露出モードの選択等を行うことが可能である。このようなメニュー設定動作の後は次のステップに移行する。また、ステップＳ１４の判定において、メニュースイッチがオンしていない場合に、ボディＣＰＵ２２７は、ステップＳ１５の処理をスキップする。
【００５４】
ステップＳ１４又はＳ１５の後、ボディＣＰＵ２２７は、ユーザのレリーズボタンの操作によって１Ｒスイッチがオンしたか否かを判定する（ステップＳ１６）。ステップＳ１６の判定において、１Ｒスイッチがオンした場合に、ボディＣＰＵ２２７は、撮影動作を制御する（ステップＳ１７）。撮影動作においては、交換レンズ１００の種類に応じたフォーカス方式で撮影レンズ１０１のフォーカスを調整する。この後、ユーザのレリーズボタンの操作によって２Ｒスイッチがオンした場合には、ステップＳ１１において得られた露光量に従って絞り機構１０３、フォーカルプレーンシャッタ２０９を制御しつつ撮像素子２１４の露光を実行する。そして、この露光によって得られた画像データを、画像処理回路２２０において処理した後、圧縮伸長回路２２４において圧縮する。その後に圧縮した画像データを、記録媒体２２６に記録する。なお、ステップＳ１６の判定において、１Ｒスイッチがオンしていない場合に、ボディＣＰＵ２２７は、ステップＳ１７の処理をスキップする。
【００５５】
ステップＳ１６又はＳ１７の後、ボディＣＰＵ２２７は、スイッチ検知回路２３２の出力から、交換レンズ１００が取り外されたか否かを判定する（ステップＳ１８）。ステップＳ１８の判定において、交換レンズ１００が取り外されていない場合に、ボディＣＰＵ２２７は、パワースイッチがオンのままであるか否かを判定する（ステップＳ１９）。ステップＳ１９の判定において、パワースイッチがオンのままである場合に、ボディＣＰＵ２２７は、ステップＳ１１以後の処理を実行する。一方、ステップＳ１９の判定において、パワースイッチがオフである場合に、ボディＣＰＵ２２７は、交換レンズ１００への電源供給を停止した後（ステップＳ２０）、本カメラの状態をスリープ状態に移行させる。
【００５６】
また、ステップＳ１８の判定において、交換レンズ１００が取り外された場合に、ボディＣＰＵ２２７は、液晶モニタ駆動回路２２２に対してライブビュー動作停止の指示を行う（ステップＳ２１）。次に、ボディＣＰＵ２２７は、交換レンズ１００への電源供給を停止する（ステップＳ２２）。その後、ボディＣＰＵ２２７は、交換レンズ１００が装着されたか否かを判定する（ステップＳ２３）。ステップＳ２３の判定において、交換レンズ１００が装着されていない場合に、ボディＣＰＵ２２７は、ステップＳ２３の判定を行いつつ、待機する。ステップＳ２３の判定において、交換レンズ１００が装着された場合に、ボディＣＰＵ２２７は、ステップＳ２以後の処理を実行する。
【００５７】
以上説明したように、本実施形態によれば、レンズ情報から交換レンズ１００の種類を自動判別し、特殊交換レンズが装着された場合には、フォーカス方式を自動的にイメージャＡＦ方式に設定している。これにより、特殊交換レンズが装着された後、ユーザが特別な設定を行わなくとも、精度の良いフォーカス調整を行うことが可能である。
【００５８】
以上実施形態に基づいて本発明を説明したが、本発明は上述した実施形態に限定されるものではなく、本発明の要旨の範囲内で種々の変形や応用が可能なことは勿論である。例えば、上述した実施形態では、カメラボディ２００に交換レンズ１００を直接装着する態様のカメラを例示しているが、カメラボディ２００及び交換レンズ１００の種類によっては、フランジバックアダプタと呼ばれるアダプタを介して交換レンズ１００を装着する必要がある場合もある。ここで、本実施形態では、交換レンズ１００が特殊交換レンズであることを示す情報をレンズＣＰＵ１０５とボディＣＰＵ２２７との通信によって取得している。このため、本実施形態では、フランジバックアダプタを介して装着された交換レンズ１００に対しても、その交換レンズ１００が特殊交換レンズであるか否かを判別することが可能である。
【００５９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００６０】
【図１】本発明の一実施形態に係るカメラの構成を示した図である。
【図２】第２のタイプのレンズの一例の構成を示す図である。
【図３】図３（ａ）は第２のタイプのレンズが用いられた場合に光学ファインダによって観察される観察像を示した図であり、図３（ｂ）は第２のタイプのレンズが用いられた場合のライブビュー動作時に観察される観察像を示した図である。
【図４】本発明の一実施形態におけるカメラの動作について示すフローチャートである。
【図５】本発明の一実施形態における交換レンズの種類と動作モードとの関係を示す図である。
【符号の説明】
【００６１】
１００…交換レンズ、１０１…撮影レンズ、１０１ａ…小径広角レンズ、１０１ｂ…リレー光学系、１０２…光学系駆動機構、１０３…絞り機構、１０４…絞り駆動機構、１０５…レンズＣＰＵ、１０６…通信端子、２００…カメラボディ、２０１…可動ミラー、２０２…可動ミラー駆動機構、２０３…フォーカシングスクリーン、２０４…ペンタプリズム、２０４ａ…接眼光学系、２０５…測光センサ、２０６…測光処理回路、２０７…測距センサ、２０８…測距処理回路、２０９…フォーカルプレーンシャッタ、２１０…シャッタ駆動機構、２１１…防塵フィルタ、２１２…防塵フィルタ駆動回路、２１３…各種フィルタ、２１４…撮像素子、２１５…撮像素子駆動回路、２１６…前処理回路、２１６…背面液晶モニタ、２１７…データバス、２１８…ＳＤＲＡＭ制御回路、２１９…ＳＤＲＡＭ、２２０…画像処理回路、２２１…ビデオ信号出力回路、２２２…液晶モニタ駆動回路、２２３…背面液晶モニタ、２２４…圧縮伸長回路、２２５…記録媒体制御回路、２２６…記録媒体、２２７…シーケンスコントローラ（ボディＣＰＵ）、２２８…フラッシュメモリ制御回路、２２９…フラッシュメモリ、２３０…各種スイッチ、２３１…着脱検知スイッチ、２３２…スイッチ検知回路、２３３…入出力回路、２３４…通信回路
【図１】
2010066495.tif 000003
【図２】
2010066495.tif 000004
【図３】
2010066495.tif 000005
【図４】
2010066495.tif 000006
【図５】
2010066495.tif 000007